(57)【要約】【課題】  短時間に簡単に施工が出来るマグネット式内装施工方法を提供する。【解決手段】  合成樹脂シート１１とマグネットシート１２とから構成された内装フィルム１０及び磁性材料から構成された下地シートを用意する。建築物内部の床面の所定の領域を内装を施す領域と定める。これら内装を施す領域の表面上に形成された下地シート上に内装フィルム１０を磁力により取付ける。【選択図】  図１
2014227783.tif 000002
【特許請求の範囲】
【請求項１】
合成樹脂シートと前記合成樹脂シートの裏面に固定されたマグネットシートとを有する内装フィルム、及び磁性材料から構成された下地シートを用意する工程と、建築物内部の床面に内装を施す領域を定める工程と、前記内装を施す領域を定める工程により定められた領域の表面に形成された前記下地シートの上に前記内装フィルムを磁力により取付ける工程とを具備したことを特徴とするマグネット式内装施工方法。
【発明の詳細な説明】
【技術分野】
【０００１】
本発明は、建築物の内部に内装を施す内装施工方法に関するものである。
【背景技術】
【０００２】
従来、公共建築物、住宅、幼稚園、保育所等の建築物は、必要に応じて内部のリホームを行い、建築物の寿命を長くしている。リホームによって、建築物内部の壁面や床面などの表面を新しい内装材に張り替え、以前と異なる環境にすることが出来る。さらに、近年では、エレベータのような磁性材料から構成された壁面を有する建築物内部の構造物の表面にマグネットシートを取付けた表面部材を磁力により貼り付けて壁面を構成する施工方法が知られている（特許文献１参照）。
特許文献１には、強磁性体製の壁面を有するエレベータや家庭用、展示会場等の各種の部屋における壁面の装飾や衝撃緩和のために用いることが出来るマグネット付きの壁部材に最適で、器材等の緩衝部材としても応用できる技術が開示されている。
【先行技術文献】
【特許文献】
【０００３】
【特許文献１】特開２００３−２５３８４９号公報
【発明の概要】
【発明が解決しようとする課題】
【０００４】
従来のリホームでは、例えば、壁面を改修する場合、まず、古い壁紙を剥がして取り去り、下地を露出させる。そして、その上に壁面表面を飾る内装材を粘着剤を用いて貼り付けるという施工方法を通常用いている。しかしながら、このような従来の施工方法は、粘着剤を用いるので、乾燥に時間が掛かり、施工時間が長くなるという問題があった。また、表面部材（内装材）は、マグネットシートにより磁力で壁面に固着されるものであるから、壁面が強磁性体などの磁性材料でなければならず、用途が限定されるという問題があった。また、室内でも特殊な部分、トイレや台所などは床面の汚れ易く、早めの改修が必要であるという問題があった。
本発明は、このような事情によりなされたもので、短時間に簡単に施工が出来、適用範囲が従来より広くなるマグネット式内装施工方法を提供する。
【課題を解決するための手段】
【０００５】
本発明のマグネット式内装施工方法は、合成樹脂シートと前記合成樹脂シートの裏面に固定されたマグネットシートとを有する内装フィルム及び磁性材料から構成された下地シートを用意する工程と、建築物内部の床面に内装を施す領域を定める工程と、前記内装を施す領域を定める工程により定められた領域に前記下地シートを取付け、この取り付けた下地シート上に前記内装フィルムを磁力により固着する工程とを具備していることを特徴としている。
【発明の効果】
【０００６】
本発明のマグネット式内装施工方法によれば、短時間に簡単に施工が出来る。また、下地シートを用いているので、建築物内部において、本発明を適用する範囲が広くなる。
【図面の簡単な説明】
【０００７】
【図１】実施例１のマグネット式内装施工方法に用いる内装フィルムの斜視図。
【図２】実施例１のマグネット式内装施工方法に用いる下地シートの斜視図。
【図３】実施例１のマグネット式内装施工方法が施されるトイレ内部の要部斜視図。
【図４】内装フィルムの表面に貼り付けた防犯ミラーの斜視図。
【図５】防犯ミラーの一例であるアルミシートの斜視図。
【図６】防犯ミラーを取付けたエレベータ内部の斜視図及び正面図。
【図７】防犯ミラーを取付けたエレベータの透過斜視図。
【図８】内装フィルムを腰板に適用した工程を説明する建造物内部の壁面の正面図。
【図９】内装フィルムを腰板に適用した工程を説明する建造物内部の壁面の正面図。
【発明を実施するための形態】
【０００８】
以下、実施例を参照して発明の実施の形態を説明する。
【実施例１】
【０００９】
まず、図１乃至図３を参照して実施例１を説明する。
この実施例で説明するマグネット式内装施工方法は、建築物におけるトイレの床面に施される。
図1に記載された内装フィルム１０は、合成樹脂シート１１と、合成樹脂シート１１の裏面に固定されたマグネットシート１２とから構成されている。両者１１、１２は、接着剤などにより強固に接合され一体化されている。この実施例では、合成樹脂として、例えば、塩化ビニール樹脂が用いられる。図２に記載された下地シート２０は、例えば、ステンレスからなり、裏面にアクリル樹脂などの粘着剤２１が塗布されている。粘着剤２１は、通常、剥離紙２２により保護されている。
【００１０】
まず、内装フィルム及び下地シートを用意する。図３（ａ）に示された便器の取付けられた床面を内装を施す領域とする。次に、図３（ｂ）に示すように、この領域上に下地シートを貼り付ける。この図では便器の記載は省略する。その後、内装フィルムを下地の上に取付ける（図３（ｃ））。
以上、この実施例ではマグネットシートから構成された下地シートを用いて内装フィルムを床面に固定しているので、内装施工を短時間で簡単に行うことが出来る。また、トイレ内の尿臭、汚れ、除菌に対しても、内装フィルムは容易に交換出来るので迅速に元に戻すことが出来る。また、トイレ内の床面に限らず、側壁に内装フィルムを施すことも有効である。また、この方法を用いるに適した場所には台所や浴室などがある。
【００１１】
次に、図１に示す内装フィルムを利用して行われる他の内装施工を説明する。この方法では、図４に示すように、合成樹脂シート１１に防犯ミラー３０を貼り付ける。防犯ミラー３０には、例えば、０．３ｍｍ厚程のアルミ板３２にアルミ箔３１を貼り付けたアルミシートを用いる（図５参照）。
この防犯ミラーは、例えば、エレベータ内部の開閉扉に貼り付ける（図６及び図７参照）。開閉扉の対抗する壁面上部にはレンズが防犯ミラー３０に向いた監視カメラを設置する。防犯ミラーの映像を監視することによりカメラの視野を広げることが出来る。前述のアルミシートは、薄いので、エレベータの開閉扉に取付けることが可能であるが、エレベータ内の他の壁面に必要に応じて取付けることもできる。
このように、この内装フィルムを用いることにより容易に防犯システムを構築することが出来る。
【００１２】
次に、図８に記載された他の内装施工方法を説明する。図は、建築物内部の壁面を示している。まず、内装フィルム及びステンレスなどの下地シートを用意する。つぎに、建築物内部の壁面に内装を施す領域を設定し、この領域の古い壁紙などを取り除いて表面を清浄にする。そして、この領域全面に下地シートを敷き詰める（図８（ａ））。下地シートは、領域全面に1枚のシートを敷いても良いし、小さいシートを継ぎ足して敷き詰めても良い。下地シートは、図２に示す剥離紙２２を剥ぎながら粘着剤２１を領域表面に貼り付けて固定される。その後、下地シート上に内装フィルムを磁力により貼り付けて内装を完成させる（図８（ｂ））。
以上、この方法ではマグネットシートから構成された下地シートを用いて内装フィルムを壁面に固定しているので、内装施工を短時間で簡単に行うことが出来る。また、磁性材料からなる下地シートを内装フィルムと併せて用いるので、適用する範囲が広くなる。
【００１３】
次に、図９に記載された他の内装施工方法を説明する。図は、建築物内部の壁面を示している。まず、内装フィルム及びステンレスなどの下地シートを用意する。つぎに、建築物内部の壁面の内装を施す領域を設定し、この領域の古い壁紙などを取り除いて表面を清浄にする。そして、この領域全面に下地シートを敷き詰める（図９（ａ））。下地シートは、領域全面に1枚のシートを敷く。下地シートは、図２に示す剥離紙２２を剥ぎながら粘着剤２１を領域表面に貼り付けて固定される。次に、内装フィルムと同じ材料からなる目地テープを下地シート上に間隔を置いて貼り付ける（図９（ｂ））。次に、内装フィルムを目地テープ間に配置し、これら内装フィルムの両端は、目地テープの両端を部分的に覆い、目地テープの中央部分が内装フィルムから露出するように配置する（図９（ｃ））。以上、この方法ではマグネットシートから構成された下地シートを用いて内装フィルムを壁面に固定しているので、内装施工を短時間で簡単に行うことが出来る。また、目地テープを用いた内装は、美観を伴うものである。また、内装フィルムは目地テープ部分から剥がすことにより取外しが容易になる。
【００１４】
以上、内装フィルム及び下地シートを用いた本発明のマグネット式内装施工方法、あるいは図４乃至図９に基づいて説明した内装施工方法によれば、短時間に簡単に施工が出来る下地シートを用いているので、本発明を適用する範囲が広くなる、医療介護施設内部の側壁に適用すれば、車椅子や医療用ベットが接触により損傷を蒙っても速やかに元に復することが出来る、キッチンの油汚れ、除菌に対して容易に洗浄して元に戻すことが出来る、喫煙コーナーに消臭機能を付した内装フィルムを用いることが出来る、保育所、幼稚園に適用すれば、内装フィルムを取り外すことにより、下地シートを臨時のキッズスペースとして利用出来るので、学びながら磁石遊びを行うことができる、本発明を広いスペースのある建築物に適用すれば、短期イベント会場を短時間で提供することが出来る等の作用効果が期待される。
【符号の説明】
【００１５】
１０・・・内装フィルム
１１・・・合成樹脂シート
１２・・・マグネットシート
２０・・・磁性材料から構成された下地シート
２１・・・粘着剤
２２・・・剥離紙
３０・・・防犯ミラー
３１・・・アルミ箔
３２・・・アルミ板
【図１】
2014227783.tif 000003
【図２】
2014227783.tif 000004
【図３】
2014227783.tif 000005
【図４】
2014227783.tif 000006
【図５】
2014227783.tif 000007
【図６】
2014227783.tif 000008
【図７】
2014227783.tif 000009
【図８】
2014227783.tif 000010
【図９】
2014227783.tif 000011